(57)【要約】【課題】  帯電不良が抑制された帯電装置、および、この帯電装置を備えたことで画像欠陥の発生が抑制された画像形成装置を提供する。【解決手段】  被帯電体の表面に接触して回転しながら該被帯電体の表面に電荷を付与して帯電させる帯電ロールと、帯電ロールに接触して従動回転することで該帯電ロールの表面から不要物を除去する、少なくとも周面が発泡体からなるクリーニングロールと、クリーニングロールに接触して該クリーニングロールから不要物を除去する除去部材と、帯電ロールを、クリーニングロールに接触させたまま被帯電体から離間させて回転させる離間機構とをを備えた。【選択図】        図１
2009151195.tif 000002
【特許請求の範囲】
【請求項１】
被帯電体の表面に接触して回転しながら該被帯電体の表面に電荷を付与して帯電させる帯電ロールと、
前記帯電ロールに接触して従動回転することで該帯電ロールの表面から不要物を除去する、少なくとも周面が発泡体からなるクリーニングロールと、
前記クリーニングロールに接触して該クリーニングロールから前記不要物を除去する除去部材と、
前記帯電ロールを、前記クリーニングロールに接触させたまま前記被帯電体から離間させて回転させる離間機構とを備えたことを特徴とする帯電装置。
【請求項２】
前記離間機構が、前記帯電ロールを前記被帯電体から離間させるとともに前記クリーニングロールに押し付けるものであることを特徴とする請求項１記載の帯電装置。
【請求項３】
前記離間機構が、前記帯電ロールを前記クリーニングロールとともに移動させることで前記被帯電体から離間させるものであることを特徴とする請求項１又は２記載の帯電装置。
【請求項４】
前記離間機構が、前記帯電ロールを前記クリーニングロールの周面に沿って回転移動させることで前記被帯電体から離間させるものであることを特徴とする請求項１又は２記載の帯電装置。
【請求項５】
前記クリーニングロールが、前記帯電ロールに接触して従動回転することで帯電するものであり、
前記除去部材が、前記クリーニングロールに接触して回転することで該クリーニングロールとは逆極に帯電して該クリーニングロールから前記不要物を静電的に除去する除去ロールであることを特徴とする請求項１から４のうちのいずれか１項記載の帯電装置。
【請求項６】
前記除去部材が、少なくとも周面は、前記クリーニングロールにおける発泡体のセル径よりも小さいセル径の発泡体からなるものであることを特徴とする請求項１から５のうちのいずれか１項記載の帯電装置。
【請求項７】
前記除去部材が、前記クリーニングロールから前記不要物を掻き落とす導電性のものであることを特徴とする請求項１から４のうちのいずれか１項記載の帯電装置。
【請求項８】
表面に像が形成されて該像を保持する像保持体；
前記像保持体の表面に接触して回転しながら該像保持体の表面に電荷を付与して帯電させる帯電ロールと、該帯電ロールに接触して従動回転することで該帯電ロールの表面から不要物を除去する、少なくとも周面が発泡体からなるクリーニングロールと、該クリーニングロールに接触して該クリーニングロールから該不要物を除去する除去部材と、該帯電ロールを、該クリーニングロールに接触させたまま該被帯電体から離間させて回転させる離間機構とを備えた帯電装置；および
所定の画像形成時には、前記帯電装置によって帯電された像保持体に静電潜像を形成し、その静電潜像を現像して現像像を形成する、所定の画像非形成時には該静電潜像を形成しない像形成部；
を備えたことを特徴とする画像形成装置。
【発明の詳細な説明】
【技術分野】
【０００１】
本発明は、帯電ロールにより被帯電体の表面に電荷を付与する帯電装置、および、この帯電装置を備えた画像形成装置に関する。
【背景技術】
【０００２】
従来より、像を保持する像保持体の表面を帯電器により帯電して静電潜像を形成し、形成した静電潜像をトナーを含む現像剤で現像し、得られた現像像を記録媒体上に転写し、該現像像を記録媒体上に定着して該記録媒体上に画像を形成する画像形成装置が知られている。
【０００３】
上記帯電器の一例として、像保持体の表面に接触して回転しながらこの像保持体の表面に電荷を付与する接触式の帯電ロールが知られている。
【０００４】
このタイプの帯電ロールは像保持体と接触していることから、帯電ロールには像保持体に付着していた不要物が移行してくる場合があり、帯電ロールにこの様な不要物が付着したままになっていると、帯電不良等による画像欠陥が長期的に引き起こされるおそれがある。
【０００５】
そこで、帯電ロールに発泡ウレタン製や発泡ポリスチレン製の発泡体ロールを接触させ従動回転させることで、像保持体から帯電ロールに移行してきた不要物を除去する提案がなされている（例えば、特許文献１参照）。
【０００６】
上記提案の発泡体ロールは、帯電ロールに与えるストレスが少なく、長期クリーニング性に優れるという特性を有している。
【特許文献１】特開平０５−２９７６９０号公報
【発明の開示】
【発明が解決しようとする課題】
【０００７】
しかしながら、上述の発泡体ロールには、製造時や使用時に破壊された発泡体セルの破片が付着している場合があり、発泡体ロールを単に帯電ロールに押し付けているだけでは、破片が帯電ロールに移行して帯電不良等を引き起こすおそれがある。
【０００８】
本発明は、上記事情に鑑み、帯電不良が抑制された帯電装置、および、この帯電装置を備えたことで画像欠陥の発生が抑制された画像形成装置を提供することを目的とする。
【課題を解決するための手段】
【０００９】
上記目的を達成するための本発明の帯電装置は、
被帯電体の表面に接触して回転しながらこの被帯電体の表面に電荷を付与して帯電させる帯電ロールと、
上記帯電ロールに接触して従動回転することでこの帯電ロールの表面から不要物を除去する、少なくとも周面が発泡体からなるクリーニングロールと、
上記クリーニングロールに接触してこのクリーニングロールから上記不要物を除去する除去部材と、
上記帯電ロールを、上記クリーニングロールに接触させたまま上記被帯電体から離間させて回転させる離間機構とを備えたことを特徴とする。
【００１０】
本発明の帯電装置では、クリーニングロールに除去部材を接触させていることで、クリーニングロールに付着している、発泡体の破片を含む不要物がクリーニングロールから除去される。これにより、クリーニングロールに付着していた不要物が帯電ロールに移行して付着することにより引き起こされる帯電不良を抑制できる。また、帯電ロールと被帯電体とを離間させると、クリーニングロールとの接触などにより帯電ロールへの付着力が落ちた不要物を被転写体に移行させずに済ますことができる。
【００１１】
上記離間機構が、上記帯電ロールを上記被帯電体から離間させるとともに上記クリーニングロールに押し付けるものであることも好ましい態様である。
【００１２】
この様にすると、クリーニングロールによる、帯電ロールに付着した付着物の除去がより確実になると共に、帯電ロールへの付着力が落ちた不要物を被転写体に移行させずに済ますことができる。
【００１３】
ここで、上記離間機構が、上記帯電ロールを上記クリーニングロールとともに移動させることで上記被帯電体から離間させるものであってもよく、上記離間機構が、上記帯電ロールを上記クリーニングロールの周面に沿って回転移動させることで上記被帯電体から離間させるものであってもよい。
【００１４】
また、上記クリーニングロールが、上記帯電ロールに接触して従動回転することで帯電するものであり、
上記除去部材が、上記クリーニングロールに接触して回転することでこのクリーニングロールとは逆極に帯電してこのクリーニングロールから上記不要物を静電的に除去する除去ロールであることが好ましい。
【００１５】
この様にすると、クリーニングロールに付着していることによりクリーニングロールと同極性に帯電している不要物を静電的に吸着できることから、クリーニングロールからの不要物の除去をより確実に行うことができる。
【００１６】
さらに、上記除去部材が、少なくとも周面は、上記クリーニングロールにおける発泡体のセル径よりも小さいセル径の発泡体からなるものであることも好ましい態様である。
【００１７】
この様にすると、クリーニングロールに付着した不要物の掻き取りが可能となる。
【００１８】
あるいは、上記除去部材が、上記クリーニングロールから上記不要物を掻き落とす導電性のものであることが好ましい。
【００１９】
この様に、除去部材が導電性のものであると、クリーニングロールとの摺擦による帯電が防止されることで、クリーニングロールから掻き取った不要物が除去部材に静電的に付着することが防止される。これにより、除去部材によってクリーニングロールから除去した不要物は除去部材には付着せず、この不要物が再びクリーニングロールに戻ってしまうことが防止される。
【００２０】
上記目的を達成するための本発明の画像形成装置は、
表面に像が形成されてこの像を保持する像保持体；
上記像保持体の表面に接触して回転しながらこの像保持体の表面に電荷を付与して帯電させる帯電ロールと、この帯電ロールに接触して従動回転することでこの帯電ロールの表面から不要物を除去する、少なくとも周面が発泡体からなるクリーニングロールと、このクリーニングロールに接触してこのクリーニングロールからこの不要物を除去する除去部材と、この帯電ロールを、このクリーニングロールに接触させたままこの被帯電体から離間させて回転させる離間機構とを備えた帯電装置；および
所定の画像形成時には、上記帯電装置によって帯電された像保持体に静電潜像を形成し、その静電潜像を現像して現像像を形成する、所定の画像非形成時にはこの静電潜像を形成しない像形成部；
を備えたことを特徴とする。
【００２１】
本発明の画像形成装置では、帯電ロールをクリーニングするクリーニングロールに除去部材を接触させて、クリーニングロールに付着している、発泡体の破片を含む不要物をクリーニングする帯電装置を備えていることで、クリーニングロールに付着していた不要物が帯電ロールに移行して付着することにより引き起こされる帯電不良が抑えられ、帯電不良による画質の低下が抑制される。また、画像形成動作に悪影響を与えずに、帯電ロールからの付着物の除去が可能になる。
【発明の効果】
【００２２】
本発明によれば、帯電不良が抑制された帯電装置、および、この帯電装置を備えたことで画像欠陥の発生が抑制された画像形成装置を提供することができる。
【発明を実施するための最良の形態】
【００２３】
以下、本発明の実施形態について説明する。
【００２４】
図１は、画像形成装置の概略構成図である。
【００２５】
図１に示す画像形成装置１は、矢印Ａ方向に回転する、表面に像を保持する感光体１０と、感光体表面に電荷を付与する帯電ロール１１１を有する帯電器１１と、外部から送信されてきた画像データに基づいた露光光を生成する露光器１２と、感光体１０に対向して回転する現像ロール１３１を備えると共にトナーを含む現像剤を収容する現像器１３と、記録用紙を収容する用紙カセット１６と、用紙カセット１６から記録用紙を引き出して搬送する用紙搬送装置１７と、感光体１０の表面に保持されているトナー像を、矢印Ｂ方向に搬送されてきた記録用紙上に転写する転写ロール１４と、記録用紙上のトナー像を加熱することでその記録用紙上にトナー像を定着させる定着器１５とを有している。尚、この画像形成装置１は、本発明の画像形成装置の第１実施形態である。
【００２６】
図１に示す画像形成装置１では、矢印Ａ方向に回転する感光体１０の表面に、帯電器１１により所定の電荷を付与し、所定の電荷を付与した感光体１０の表面に、外部から送信されてきた画像データに基づいた露光光を露光器１２により照射することで静電潜像を形成し、現像器１３に収容した現像剤を現像ロール１３０の表面に供給して現像位置１３０に運ばさせて、運ばさせた現像剤中のトナーにより、感光体１０の表面に形成した静電潜像を現像し、この現像により得られたトナー像を、用紙カセット１６から用紙搬送装置１７によって引き出され矢印Ｂ方向に搬送されてきた記録用紙上に転写ロール１４により転写し、定着器１５により記録用紙上のトナー像を加熱することでその記録用紙上にこのトナー像を定着することにより画像形成が行われる。また、この画像形成装置１は、モノクロ画像専用機である。
【００２７】
この画像形成装置１に備えられている帯電器１１は、詳しくは後述するが、帯電ロール１１１を感光体１０に接触させた状態で従動回転しながらこの感光体１０の表面に電荷を付与する接触型の帯電器である。尚、トナー像が記録用紙に転写された後、感光体１０の表面に残留する残留トナーを除去するために、転写ロール１４よりも矢印Ａ方向についての下流側かつ帯電器１１よりも矢印Ａ方向についての上流側にはクリーニングブレードが配備されているが、この図１では図示は省略している。この図１に示す帯電器１１は、本発明の帯電装置の第１実施形態である。
【００２８】
図２は、帯電器の拡大図である。
【００２９】
図２に示す帯電器１１は、矢印Ａ方向に回転する感光体１０に接触して回転する帯電ロール１１１と、この帯電ロール１１１に電圧を印加する電圧印加部１１２と、この帯電ロール１１１に接触し、帯電ロールに付着した不要物を除去する第１クリーナロール１１３と、この第１クリーナロール１１３に接触し、第１クリーナロール１１３に付着した不要物を除去する第２クリーナロール１１４とを有している。
【００３０】
第１クリーナロール１１３は、帯電ロール１１１に接触して矢印Ｄ方向に従動回転することで、表面が摩擦によりプラスに帯電する発泡ポリスチレン製のロールである。
【００３１】
第２クリーナロール１１４は、クリーナロール１１３に接触して矢印Ｅ方向に従動回転することで、表面が摩擦によりマイナスに帯電するポリウレタン製のロールであり、発泡体からなる第２クリーナロール１１４は、同じく発泡体からなる第１クリーナロール１１３のセル径よりも小さいセル径を有するものである。
【００３２】
この画像形成装置１では、帯電ロール１１１に付着した不要物を除去する第１クリーナロール１１３に加えて、この第１クリーナロールに付着した不要物を除去する第２クリーナロール１１４を備えている。このため、第１クリーナロール１１３に付着していた不要物の帯電ロール１１１への移行が抑えられることから、不要物が帯電ロール１１１に付着することにより引き起こされる帯電不良が抑制される。
【００３３】
また、第１クリーナロール１１３と第２クリーナロール１１４とでは、それぞれの表面が摩擦によって互いに反対の極性に帯電し、また、第１クリーナロール１１３に付着している付着物は、第１クリーナロール１１３と同じ極性に帯電する。このため、第２クリーナ１１４による、第１クリーナロール１１３からの付与物の除去は静電的な吸着力が作用し、より確実に行われることとなる。
【００３４】
さらには、第２クリーナロール１１４は、第１クリーナロール１１３のセル径よりも小さいセル径を有していることから、第１クリーナロール１１３の表面に付着した不要物を掻き取る機能も有している。
【００３５】
したがって、この画像形成装置１によれば、不要物が帯電ロール１１１に付着することにより引き起こされる帯電不良の発生を抑え、帯電不良に起因する画像欠陥の発生を抑制することができる。
【００３６】
尚、上記説明では、本発明にいう除去部材の一例として、帯電ロールに接触する発泡体ロールのセル径よりも小さいセル径を有する発泡体ロールを例に挙げたが、本発明にいう除去部材は、クリーニングロールにおける発泡体のセル径よりも大きいセル径の発泡体であってもよい。また、上記説明では、本発明にいう除去部材の一例として、表面が摩擦によりマイナスに帯電するポリウレタン製のロールを例に挙げたが、本発明にいう除去部材は、クリーニングロールと逆極性に帯電するものであれば、表面が摩擦によりプラスに帯電するロールであってもよい。
【００３７】
次に、本発明の画像形成装置の第２実施形態について説明する。
【００３８】
本実施形態の画像形成装置は、図１に示す第１実施形態である画像形成装置１に備えられている帯電器１１を第２の帯電器２１に交換したものであり、その他の部材は同じ種類のものであるので、以下では、帯電器２１についてのみ説明する。
【００３９】
図３は、帯電器の拡大図である。尚、図３に示す部材で図２に示す部材と同じ種類の部材には、図２において付されている符号と同じ符号を付している。また、この帯電器２１は、本発明の帯電装置の第２実施形態である。
【００４０】
図３に示す帯電器２１は、矢印Ａ方向に回転する感光体１０に接触して回転する帯電ロール１１１と、この帯電ロール１１１に電圧を印加する電圧印加部１１２と、この帯電ロール１１１に接触し、帯電ロールに付着した不要物を除去するクリーナロール１１３と、このクリーナロール１１３に接触し、クリーナロール１１３に付着した不要物を掻き落とすアルミ板２１４と、このアルミ板２１４が固定されたベース２１５とを有している。尚、ベース２１５は、ステンレス製のものであり、不図示のシャーシフレームを通じてアースされている。
【００４１】
クリーナロール１１３は、帯電ロール１１１に接触して矢印Ｄ方向に従動回転する発泡ポリスチレン製のロールである。
【００４２】
アルミ板２１４は、導電性を有しており、また、このアルミ板２１４が固定されたベース２１５も導電性のものであると共にアースされていることから、クリーナロール１１３との接触による摩擦によっても帯電しないようになっている。
【００４３】
この画像形成装置では、帯電ロール１１１に付着した不要物を除去するクリーナロール１１３に加えて、このクリーナロール１１３に付着した不要物を掻き取るアルミ板２１４を備えている。このため、クリーナロール１１３に付着していた不要物の帯電ロール１１１への移行が抑えられることから、不要物が帯電ロール１１１に付着することにより引き起こされる帯電不良が抑制される。
【００４４】
また、クリーナロール１１３に接触するアルミ板２４は、クリーナロール１１３との接触により、摩擦帯電しないようにされていることから、クリーナロール１１３に付着していた付着物がアルミ板２１４に静電的に吸着して再びクリーナロール１１３に戻ってしまうことがない。
【００４５】
したがって、この画像形成装置によれば、不要物が帯電ロール１１１に付着することにより引き起こされる帯電不良の発生を抑え、帯電不良に起因する画像欠陥の発生を抑制することができる。
【００４６】
尚、上記説明では、本発明にいう除去部材の一例として、アルミ板を例に挙げたが、本発明にいう除去部材は、不要物を掻き落とす、導電性を有するものであれば、ステンレスであってもよく、また、導電性物質が混入された樹脂成形物であってもよい。
【００４７】
次に、本発明の画像形成装置の第３実施形態について説明する。
【００４８】
本実施形態の画像形成装置は、図１に示す第１実施形態である画像形成装置１に備えられている帯電器１１を第３の帯電器３１に交換したものであり、その他の部材は同じ種類のものであるので、以下では、帯電器３１についてのみ説明する。
【００４９】
図４は、帯電器の拡大図である。尚、図４に示す部材で図２に示す部材と同じ種類の部材には、図２において付されている符号と同じ符号を付している。また、この帯電器３１は、本発明の帯電装置の第３実施形態である。
【００５０】
図４に示す帯電器３１は、矢印Ａ方向に回転する感光体１０に接触して回転する帯電ロール１１１と、この帯電ロール１１１に接触し、帯電ロールに付着した不要物を除去する第１クリーナロール１１３と、この第１クリーナロール１１３に接触し、第１クリーナロール１１３に付着した不要物を除去する第２クリーナロール１１４と、帯電ロールの回転中心である中心軸１１１１と第１クリーナロール１１３の回転中心である中心軸１１３１とを接近自在にガイドするガイドレール３１１と、第１クリーナロール１１３の中心軸１１３１と不図示のフレームとを繋ぐ第１テンションバネ３１２と、第２クリーナロール１１４の回転中心である中心軸１１４１と不図示のフレームを繋ぐ第２テンションバネ３１３と、詳しくは後述する傾斜台３１４とを有している。尚、実際は、帯電ロール１１１に電圧を印加する電圧印加部や、帯電ロール１１１を駆動する駆動機構も備えられているが、図示の煩雑さを防止するために省略している。
【００５１】
図４（ａ）には、オペレータからの所定画像の出力指示により、感光体ロール１０が矢印Ａの向きに回転し、これに伴って帯電ロールが矢印Ｃの向きに回転している様子が示されている。このとき、第１クリーナロール１１３は、第１テンションバネ３１２からの付勢力を受けて帯電ロール１１１に押し付けられており、このため、帯電ロール１１１に従動して矢印Ｄの向きに回転する。また、第２クリーナロール１１４も、第２テンションバネ３１３からの付勢力により第２クリーナロール１１４に押し付けられており、このため、第２クリーナロール１１４に従動して矢印Ｅの向きに回転する。尚、図４（ａ）における状態の、この帯電器３１における、帯電不良を抑制する作用の説明については前述してあるので省略する。
【００５２】
図４（ｂ）から図４（ｄ）までには、この画像形成装置において出力を行っていない場合の、帯電器３１における帯電不良を抑制するクリーニング動作の流れが示されており、図４（ｂ）には、前述した傾斜台３１４が図４における左側から進出してきて、帯電ロール１１１の中心軸１１１１が、傾斜台３１４の第１傾斜面３１４ａに乗り上げて第１傾斜面３１４ａに沿って上方に押し上げられている様子が示されている。これにより、帯電ロール１１１は、感光体ロール１０から離間した状態となり、また、第１テンションバネ３１２および第２テンションバネ３１３は、帯電ロール１１１の上昇に伴う第１クリーナロール１１３の上昇により、図４（ａ）における状態と比べてバネ長が短くなっている。
【００５３】
図４（ｃ）には、傾斜台３１４が図４における右側にさらに進出したことで、帯電ロール１１１の中心軸１１１１が、傾斜台３１４の、第１傾斜面３１４ａよりも急勾配の第２傾斜面３１４ｂに移ったことより、帯電ロール１１１が第１クリーナロール１１３に強く押し付けられている様子が示されている。
【００５４】
図４（ｄ）には、図４（ｃ）に示す状態から、帯電ロール１１１が矢印Ｃの向きに回転を開始したことで、第１クリーナロール１１３および第２クリーナロール１１４も回転している様子が示されている。
【００５５】
この画像形成装置１では、出力動作中は、第１実施形態の画像形成装置１で行われているのと同じ動作で帯電不良が抑制され、さらに、出力非動作中には、帯電ロール１１１を、第１クリーナロール１１３および第２クリーナロール１１４と共に感光体ロール１０から上方に移動させることで離間させ、さらに、画像形成装置１で行われる場合よりも、帯電ロール１１１、第１クリーナロール１１３、および第２クリーナロール１１４を相互に強く押し付けることで、帯電ロール１１１からの付着物の除去がより確実に行われると共に、帯電ロール１１１への付着力が落ちた不要物を感光体ロール１０に移行させずに済ますことができる。
【００５６】
したがって、この画像形成装置によれば、不要物が帯電ロール１１１に付着することにより引き起こされる帯電不良の発生を抑え、帯電不良に起因する画像欠陥の発生を抑制することができる。
【００５７】
次に、本発明の画像形成装置の第４実施形態について説明する。
【００５８】
本実施形態の画像形成装置は、図１に示す第１実施形態である画像形成装置１に備えられている帯電器１１を第４の帯電器４１に交換したものであり、その他の部材は同じ種類のものであるので、以下では、帯電器４１についてのみ説明する。
【００５９】
図５は、帯電器の拡大図である。尚、図５に示す部材で図２および図４に示す部材と同じ種類の部材には、図２および図４において付されている符号と同じ符号を付している。また、この帯電器４１は、本発明の帯電装置の第４実施形態である。
【００６０】
図５に示す帯電器４１は、矢印Ａ方向に回転する感光体１０に接触して回転する帯電ロール１１１と、この帯電ロール１１１に接触し、帯電ロールに付着した不要物を除去する第１クリーナロール１１３と、この第１クリーナロール１１３に接触し、第１クリーナロール１１３に付着した不要物を除去する第２クリーナロール１１４と、帯電ロールの回転中心である中心軸１１１１と第１クリーナロール１１３の回転中心である中心軸１１３１とを接近自在にガイドするガイドレール３１１と、ガイドレール３１１と不図示のフレームとを繋ぐ第３テンションバネ４１１と、第２クリーナロール１１４の回転中心である中心軸１１４１と不図示のフレームを繋ぐ第４テンションバネ４１２と、傾斜台４１４とを有している。尚、実際は、帯電ロール１１１に電圧を印加する電圧印加部や、帯電ロール１１１を駆動する駆動機構も備えられているが、図示の煩雑さを防止するために省略している。
【００６１】
図５（ａ）には、オペレータからの所定画像の出力指示により、感光体ロール１０が矢印Ａの向きに回転し、これに伴って帯電ロールが矢印Ｃの向きに回転している様子が示されている。このとき、第１クリーナロール１１３は、自重により帯電ロール１１１に載った状態にあり、帯電ロール１１１に従動して矢印Ｄの向きに回転する。また、第２クリーナロール１１４は、第４テンションバネ４１２からの図５における左向きの付勢力により第１クリーナロール１１３に押し付けられており、このため、第２クリーナロール１１４に従動して矢印Ｅの向きに回転する。尚、図５（ａ）における状態の、この帯電器４１における、帯電不良を抑制する作用の説明については前述しているので省略する。
【００６２】
図５（ｂ）には、この画像形成装置において出力を行っていない場合の、帯電器４１における帯電不良を抑制するクリーニングの様子が示されており、図５（ｂ）には、傾斜台４１４が図５における左側から進出してきて、帯電ロール１１１、ガイドレール３１１、第１クリーナロール１１３、および第２クリーナロール１１４が図５における右側に押し込まれ、さらには、帯電ロール１１１の中心軸１１１１が、傾斜台４１４の傾斜面４１４ａに乗り上げると共にこの傾斜面４１４ａによって上方に押し上げられた様子が示されている。これにより、帯電ロール１１１は、感光体ロール１０から離間した状態となると共に、帯電ロール１１１が第１クリーナロール１１３に強く押し付けられている。
【００６３】
さらに、図５（ｂ）には、帯電ロール１１１が矢印Ｃの向きに回転していることで、第１クリーナロール１１３および第２クリーナロール１１４も回転している様子が示されている。尚、図５（ｂ）に示される、第３テンションバネ４１１および第４テンションバネ４１２は、帯電ロール１１１などが図６における右側に押し込まれていることで、図５（ａ）における状態と比べてバネ長が短くなっている様子が示されている。
【００６４】
この画像形成装置では、出力動作中は、第１実施形態の画像形成装置１で行われているのと同じ動作で帯電不良が抑制され、さらに、出力非動作中には、帯電ロール１１１を、第１クリーナロール１１３および第２クリーナロール１１４と共に感光体ロール１０から右方向に移動させることで離間させ、さらに、画像形成装置１で行われる場合よりも、帯電ロール１１１、第１クリーナロール１１３、および第２クリーナロール１１４を相互に強く押し付けることで、帯電ロール１１１からの付着物の除去がより確実に行われると共に、帯電ロール１１１への付着力が落ちた不要物を感光体ロール１０に移行させずに済ますことができる。
【００６５】
したがって、この画像形成装置によれば、不要物が帯電ロール１１１に付着することにより引き起こされる帯電不良の発生を抑え、帯電不良に起因する画像欠陥の発生を抑制することができる。
【００６６】
次に、本発明の画像形成装置の第５実施形態について説明する。
【００６７】
本実施形態の画像形成装置は、図１に示す第１実施形態である画像形成装置１に備えられている帯電器１１を第５の帯電器５１に交換したものであり、その他の部材は同じ種類のものであるので、以下では、帯電器５１についてのみ説明する。
【００６８】
図６は、帯電器の拡大図である。尚、図６に示す部材で図２および図４に示す部材と同じ種類の部材には、図２および図４において付されている符号と同じ符号を付している。また、この帯電器５１は、本発明の帯電装置の第５実施形態である。
【００６９】
図６に示す帯電器５１は、矢印Ａ方向に回転する感光体１０に接触して回転する帯電ロール１１１と、この帯電ロール１１１に接触し、帯電ロールに付着した不要物を除去する第１クリーナロール１１３と、この第１クリーナロール１１３に接触し、第１クリーナロール１１３に付着した不要物を除去する第２クリーナロール１１４と、帯電ロール１１１の回転中心である中心軸１１１１と第１クリーナロール１１３の回転中心である中心軸１１３１とを接近自在にガイドすると共に第１クリーナロール１１３の中心軸１１３１を中心に回動自在のガイドレール３１１と、斜面５１２ａを有する、位置が固定されたフレーム５１２と、このフレーム５１２とガイドレール３１１とを繋ぐ第５テンションバネ５１１と、ガイドレール３１１を回動させる押圧部材５１３とを有している。尚、実際は、帯電ロール１１１に電圧を印加する電圧印加部や、帯電ロール１１１を駆動する駆動機構も備えられているが、図示の煩雑さを防止するために省略している。
【００７０】
図６（ａ）には、オペレータからの所定画像の出力指示により、感光体ロール１０が矢印Ａの向きに回転し、これに伴って帯電ロールが矢印Ｃの向きに回転している様子が示されている。このとき、第１クリーナロール１１３は、自重により帯電ロール１１１に載った状態にあり、帯電ロール１１１に従動して矢印Ｄの向きに回転する。尚、図６（ａ）における状態の、この帯電器４１における、帯電不良を抑制する作用の説明については前述しているので省略する。
【００７１】
図６（ｂ）には、この画像形成装置において出力を行っていない場合の、帯電器５１における帯電不良を抑制するクリーニングの様子が示されており、図６（ｂ）には、押圧部材５１３が図６における右側から進出して、ガイドレール３１１を回動させたことで、帯電ロール１１１側に時計回りに回動され、さらには、帯電ロール１１１の中心軸１１１１が、フレーム５１２の斜面５１２ａに乗り上げたことで、帯電ロール１１１が第１クリーナロール１１３に押し付けられている様子が示されている。これにより、帯電ロール１１１は、感光体ロール１０から離間した状態となると共に、帯電ロール１１１が第１クリーナロール１１３に強く押し付けられている。
【００７２】
さらに、図６（ｂ）には、帯電ロール１１１が矢印Ｃの向きに回転していることで、第１クリーナロール１１３および第２クリーナロール１１４も回転している様子が示されている。尚、図６（ｂ）に示される第５テンションバネ５１１は、帯電ロール１１１が回動したことで、図６（ａ）における状態と比べてバネ長が短くなっている様子が示されている。
【００７３】
この画像形成装置では、出力動作中は、第１実施形態の画像形成装置１で行われているのと同じ動作で帯電不良が抑制され、さらに、出力非動作中には、帯電ロール１１１を第１クリーナロール１１３の周面に沿って回転移動させることで感光体ロール１０から離間させ、さらに、画像形成装置１で行われる場合よりも、帯電ロール１１１と第１クリーナロール１１３を相互に強く押し付けて画質不良を抑制する動作が実施されており、帯電ロール１１１からの付着物の除去がより確実に行われると共に、帯電ロール１１１への付着力が落ちた不要物を感光体ロール１０に移行させずに済ますことができる。
【００７４】
したがって、この画像形成装置によれば、不要物が帯電ロール１１１に付着することにより引き起こされる帯電不良の発生を抑え、帯電不良に起因する画像欠陥の発生を抑制することができる。
【図面の簡単な説明】
【００７５】
【図１】画像形成装置の概略構成図である。
【図２】帯電器の拡大図である。
【図３】帯電器の拡大図である。
【図４】帯電器の拡大図である。
【図５】帯電器の拡大図である。
【図６】帯電器の拡大図である。
【符号の説明】
【００７６】
１  画像形成装置
１０  感光体
１１、２１、３１、４１、５１  帯電器
１１１  帯電ロール
１１２  電圧印加部
１１３  第１クリーナロール
１１４  第２クリーナロール
１２  露光器
１３  現像器
１４  転写ロール
１５  定着器
１６  用紙トレイ
１７  用紙搬送装置
２１４  アルミ板
２１５  ベース
３１１  ガイドレール
３１２  第１テンションバネ
３１３  第２テンションバネ
３１４、４１４  傾斜台
４１１  第３テンションバネ
４１２  第４テンションバネ
５１１  第５テンションバネ
５１２  フレーム
５１３  押圧部材
【図１】
2009151195.tif 000003
【図２】
2009151195.tif 000004
【図３】
2009151195.tif 000005
【図４】
2009151195.tif 000006
【図５】
2009151195.tif 000007
【図６】
2009151195.tif 000008